Podtech/llm-jp-corpus-v4-ja_patent huggingface dataset:
【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
ＰＲＶ核酸を含有するＰＲＶ免疫原性組成物。
【請求項２】
ＰＲＶ核酸が、配列番号１〜１０のいずれかの核酸配列である、請求項１に記載の免疫原性組成物。
【請求項３】
ＰＲＶ核酸が、配列番号１〜１０のいずれかの最小２４の連続核酸を含む、請求項１に記載の免疫原性組成物。
【請求項４】
ＰＲＶ核酸が、配列番号１〜１０のいずれかの核酸配列と実質的に同一である、請求項１に記載の免疫原性組成物。
【請求項５】
ＰＲＶ核酸が、配列番号１〜１０に対して少なくとも約８５％の同一性を有する、配列番号１〜１０のいずれかの変異体である、請求項１に記載の免疫原性組成物。
【請求項６】
前記変異体が、配列番号１〜１０のいずれかの核酸配列に対して少なくとも約９０％、約９５．５％、約９６％、約９６．５％、約９７％、約９７．５％、約９８％、約９８．５％、約９９％、約９９．５％又は約９９．９％の同一性を有する、請求項５に記載の核酸。
【請求項７】
ＰＲＶポリペプチドを含有するＰＲＶ免疫原性組成物。
【請求項８】
ＰＲＶポリペプチドが、配列番号１〜１０のいずれかによりコードされるポリペプチドである、請求項７に記載の免疫原性組成物。
【請求項９】
ＰＲＶポリペプチドが、配列番号１〜１０のいずれかの最小２４の連続核酸を含む核酸によりコードされるポリペプチドである、請求項７に記載の免疫原性組成物。
【請求項１０】
ＰＲＶポリペプチドが、配列番号１〜１０のいずれかの核酸配列と実質的に同一の核酸によりコードされるポリペプチドである、請求項７に記載の免疫原性組成物。
【請求項１１】
ＰＲＶポリペプチドが、配列番号１〜１０に対して少なくとも約８５％の同一性を有する、配列番号１〜１０のいずれかの変異体である核酸によりコードされるポリペプチドである、請求項７に記載の免疫原性組成物。
【請求項１２】
前記変異体が、配列番号１〜１０のいずれかの核酸配列に対して少なくとも約９０％、約９５．５％、約９６％、約９６．５％、約９７％、約９７．５％、約９８％、約９８．５％、約９９％、約９９．５％又は約９９．９％の同一性を有する、請求項１１に記載の免疫原性組成物。
【請求項１３】
ＰＲＶポリペプチドが、配列番号２９〜４０のアミノ酸配列を含むポリペプチドである、請求項７に記載の免疫原性組成物。
【請求項１４】
ＰＲＶポリペプチドが、配列番号２９〜４０のいずれかの最小８の連続アミノ酸を含むポリペプチドである、請求項７に記載の免疫原性組成物。
【請求項１５】
ＰＲＶポリペプチドが、配列番号２９〜４０のいずれかのアミノ酸配列と実質的に同一である、請求項７に記載の免疫原性組成物。
【請求項１６】
ＰＲＶポリペプチドが、配列番号２９〜４０のいずれかの変異体であり、配列番号２９〜４０に対して少なくとも約８５％の同一性を有する、請求項７に記載の免疫原性組成物。
【請求項１７】
前記変異体が、配列番号２９〜４０のいずれかのアミノ酸配列に対して少なくとも約９０％、約９５．５％、約９６％、約９６．５％、約９７％、約９７．５％、約９８％、約９８．５％、約９９％、約９９．５％又は約９９．９％の同一性を有する、請求項１６に記載の免疫原性組成物。
【請求項１８】
ＰＲＶ又はＰＲＶポリペプチドに結合し、ＰＲＶ又はＰＲＶポリペプチドの機能又は活性を阻害、中和又は低減する抗体。
【請求項１９】
ポリクローナル抗体である、請求項１８に記載の抗体。
【請求項２０】
モノクローナル抗体である、請求項１８に記載の抗体。
【請求項２１】
硬骨魚類抗体である、請求項１８に記載の抗体。
【請求項２２】
サケ抗体である、請求項１８に記載の抗体。
【請求項２３】
ＩｇＭ抗体である、請求項１８に記載の抗体。
【請求項２４】
キメラ抗体である、請求項１８に記載の抗体。
【請求項２５】
ＰＲＶポリペプチドを含む死菌ウイルスを含有する免疫原性組成物。
【請求項２６】
ＰＲＶポリペプチドを含む弱毒ウイルスを含有する免疫原性組成物。
【請求項２７】
少なくとも一種の賦形剤、添加剤又は補助剤を更に含有する、請求項１、７、２５又は２６のいずれか一項に記載の免疫原性組成物。
【請求項２８】
追加のウイルス由来の少なくとも一種のポリペプチド、又はその断片を更に含有する、請求項１、７、２５又は２６のいずれか一項に記載の免疫原性組成物。
【請求項２９】
融合ポリペプチドを含有する免疫原性組成物であって、融合ポリペプチドがＰＲＶポリペプチド、その断片（fragement）または変異体、及び追加のウイルス由来の少なくとも一種のポリペプチド又はその断片を含む、免疫原性組成物。
【請求項３０】
追加のウイルスが、睡眠病ウイルス（ＳＤＶ）；サケ膵臓病ウイルス（ＳＰＤＶ）；感染性サケ貧血（ＩＳＡＶ）；ウイルス性出血性敗血症ウイルス（ＶＨＳＶ）；伝染性造血器壊死症ウイルス（ＩＨＮＶ）；伝染性膵臓壊死症ウイルス（ＩＰＮＶ）；コイの春ウイルス血症（ＳＶＣ）；ブチナマズウイルス（ＣＣＶ）；アエロモナス・サルモニシダ（Ａｅｒｏｍｏｎａｓ  ｓａｌｍｏｎｉｃｉｄａ；魚類の細菌性腎臓病菌（Ｒｅｎｉｂａｃｔｅｒｉｕｍ  Ｓａｌｍｏｎｉｎａｒｕｍ）；モリテーラ・ビスコーシス（Ｍｏｒｉｔｅｌｌａ  ｖｉｓｃｏｓｉｓ、エルシニア感染症；パスツレラ症；ビブリオ・アンギラルム（Ｖｉｂｒｏ  ａｎｇｕｉｌｌａｒｕｍ）；ビブリオ・ロゲイ（Ｖｉｂｒｉｏ  ｌｏｇｅｉ）；ビブリオ・オルダリイ（Ｖｉｂｒｉｏ  ｏｒｄａｌｉｉ）；ビブリオ・サルモニシダ（Ｖｉｂｒｉｏ  ｓａｌｍｏｎｉｃｉｄａ）；エドワージエラ・イクタルリ（Ｅｄｗａｒｄｓｉｅｌｌａ  ｉｃｔａｌｕｒｉ）；エドワージエラ・タルダ（Ｅｄｗａｒｄｓｉｅｌｌａ  ｔａｒｄａ）；魚類のカラムナリス病菌（Ｃｙｔｏｐｈａｇａ  ｃｏｌｕｍｎａｒｉ）；又はピスシリケッチア・サルモニス（Ｐｉｓｃｉｒｉｃｋｅｔｔｓｉａ  ｓａｌｍｏｎｉｓ）からなる群から選択される、請求項２８又は２９に記載の免疫原性組成物。
【請求項３１】
請求項１、７、２５、又は２６のいずれか一項に記載のＰＲＶ免疫原性組成物を投与することを含む、動物における免疫応答の誘導方法。
【請求項３２】
請求項１、７、２５又は２６のいずれか一項に記載のＰＲＶ免疫原性組成物を動物に投与することを含む、動物におけるＰＲＶ感染の予防又は軽減のための方法。
【請求項３３】
請求項１８に記載の抗体を動物に投与することを含む、動物におけるＰＲＶ感染の予防又は軽減のための方法。
【請求項３４】
投与が経口投与、浸漬投与又は注入投与である、請求項３１、３２又は３３のいずれか一項に記載の方法。
【請求項３５】
動物におけるＰＲＶ感染状態の処置のためのワクチンの製造における、請求項１、７、２５又は２６のいずれか一項に記載の免疫原性組成物の使用。
【請求項３６】
動物におけるＰＲＶ感染状態の予防又は軽減のためのワクチンの製造における、請求項１、７、２５又は２６のいずれか一項に記載の免疫原性組成物の使用。
【手続補正書】
【提出日】平成25年8月30日(2013.8.30)
【手続補正１】
【補正対象書類名】特許請求の範囲
【補正対象項目名】全文
【補正方法】変更
【補正の内容】
【特許請求の範囲】
【請求項１】
Ｎｏｔｃｈ１特異的アンタゴニストに応答しないＧＳＩ応答性Ｔ細胞白血病を治療するための医薬であって、該医薬がＮｏｔｃｈ３特異的アンタゴニストを含む医薬。
【請求項２】
Ｔ細胞白血病が、リンパ芽球性白血病である、請求項１に記載の医薬。
【請求項３】
Ｔ細胞白血病が、Ｔ−ＡＬＬである、請求項２に記載の医薬。
【請求項４】
Ｎｏｔｃｈ３特異的アンタゴニストが、抗Ｎｏｔｃｈ３アンタゴニスト抗体である、請求項１に記載の医薬。
【請求項５】
抗Ｎｏｔｃｈ３アンタゴニスト抗体が、抗Ｎｏｔｃｈ３ ＮＲＲ抗体である、請求項４に記載の医薬。
【請求項６】
抗Ｎｏｔｃｈ３ ＮＲＲ抗体が、Ｎｏｔｃｈ３ ＮＲＲのＬＮＲ−Ａドメイン及びＨＤ−Ｃドメインに結合する、請求項５に記載の医薬。
【請求項７】
抗Ｎｏｔｃｈ３ ＮＲＲ抗体が、抗体２５６Ａ−４又は２５６Ａ−８のヒト化形態である、請求項５に記載の医薬。
【請求項８】
抗Ｎｏｔｃｈ３ ＮＲＲ抗体が、抗体２５６Ａ−４又は２５６Ａ−８の重鎖及び軽鎖可変領域のＣＤＲを含む、請求項５に記載の医薬。
【請求項９】
抗Ｎｏｔｃｈ３アンタゴニスト抗体が、Ｎｏｔｃｈ３の一つ以上のＥＧＦ様リピートに結合する抗Ｎｏｔｃｈ３抗体である、請求項４に記載の医薬。
【請求項１０】
Ｎｏｔｃｈ１特異的アンタゴニストの有効量を更に含む、請求項１に記載の医薬。
【請求項１１】
Ｎｏｔｃｈ１特異的アンタゴニストが、抗Ｎｏｔｃｈ１アンタゴニスト抗体である、請求項１０に記載の医薬。
【請求項１２】
抗Ｎｏｔｃｈ１アンタゴニスト抗体が、抗Ｎｏｔｃｈ１ ＮＲＲ抗体である、請求項１１に記載の医薬。
【請求項１３】
抗Ｎｏｔｃｈ１ ＮＲＲ抗体が、Ｎｏｔｃｈ１ ＮＲＲのＬＮＲ−Ａドメイン、ＬＮＲ−Ｂドメイン、及びＨＤ−Ｃドメインに結合する、請求項１２に記載の医薬。
【請求項１４】
抗Ｎｏｔｃｈ１ ＮＲＲ抗体が、抗体Ａ、Ａ−１、Ａ−２、Ａ−３から選択される、請求項１２に記載の医薬。
【請求項１５】
抗Ｎｏｔｃｈ１ ＮＲＲ抗体が、抗体Ａ、Ａ−２、Ａ−３から選択される抗体の重鎖及び軽鎖可変領域のＣＤＲを含む、請求項１２に記載の医薬。
【請求項１６】
抗Ｎｏｔｃｈ１アンタゴニスト抗体が、Ｎｏｔｃｈ１の一つ以上のＥＧＦ様リピートに結合する抗Ｎｏｔｃｈ１抗体である、請求項１１に記載の医薬。
【請求項１７】
活性化Ｎｏｔｃｈ３ ＩＣＤに特異的に結合する抗体。
【請求項１８】
抗体が、配列番号４のペプチドに結合する、請求項１７に記載の抗体。
【請求項１９】
抗体が、ポリクローナルである、請求項１７に記載の抗体。
【請求項２０】
抗体が、モノクローナルである、請求項１７に記載の抗体。
【請求項２１】
Ｎｏｔｃｈ３のアンタゴニストによる治療に適している癌を同定する方法であって、癌の試料を請求項１７に記載の抗体と接触させ、活性化Ｎｏｔｃｈ３のレベルの有意な増加が試料中に存在するかどうかを決定することを含み、活性化Ｎｏｔｃｈ３のレベルの有意な増加の存在が、癌がＮｏｔｃｈ３のアンタゴニストでの治療に適していることを示す方法。
【請求項２２】
癌がＧＳＩ応答性である、請求項２１に記載の方法。
【手続補正書】
【提出日】平成25年10月1日(2013.10.1)
【手続補正１】
【補正対象書類名】特許請求の範囲
【補正対象項目名】全文
【補正方法】変更
【補正の内容】
【特許請求の範囲】
【請求項１】
プロテアソーム阻害剤を含む、患者の癌を治療するための医薬組成物であって、前記組成物は前記患者にプロテアソーム阻害剤の複数用量を投与するためのものであり、前記複数用量は７２時間毎よりも高い頻度、又は少なくとも週３日投与される、前記組成物。
【請求項２】
前記プロテアソーム阻害剤は少なくとも週４日投与される、請求項１に記載の組成物。
【請求項３】
前記プロテアソーム阻害剤は少なくとも週５日投与される、請求項２に記載の組成物。
【請求項４】
前記プロテアソーム阻害剤は少なくとも週６日投与される、請求項３に記載の組成物。
【請求項５】
前記プロテアソーム阻害剤は少なくとも１日１回投与される、請求項４に記載の組成物。
【請求項６】
前記複数用量は、４８時間毎に少なくとも１回投与される、請求項１に記載の組成物。
【請求項７】
前記複数用量は、２４時間毎に少なくとも１回投与される、請求項６に記載の組成物。
【請求項８】
前記複数用量は、少なくとも２週間にわたって投与される、請求項１〜７のいずれか一項に記載の組成物。
【請求項９】
前記複数用量は、少なくとも４週間にわたって投与される、請求項８に記載の組成物。
【請求項１０】
前記プロテアソーム阻害剤は、静脈内投与、皮下投与、非経口投与、筋内投与、皮内投与、又は経皮投与される、請求項１〜９のいずれか一項に記載の組成物。
【請求項１１】
前記プロテアソーム阻害剤がボルテゾミブである、請求項１〜１０のいずれか一項に記載の組成物。
【請求項１２】
前記癌が固形腫瘍である、請求項１〜１０のいずれか一項に記載の組成物。
【請求項１３】
前記固形腫瘍が、皮膚、肺、気管支、前立腺、乳房、膵臓、副腎、小腸、大腸、結腸、直腸、甲状腺、胃、肝臓、胆管、腎臓、腎盂、膀胱、子宮、子宮頸部、卵巣、食道、脳、頭頸部、口腔、咽頭、及び喉頭の腫瘍からなる群から選択される、請求項１２に記載の組成物。
【請求項１４】
前記患者に第２の抗癌治療の投与と併用される、請求項１〜１３のいずれか一項に記載の組成物。
【請求項１５】
前記第２の抗癌治療が、抗体療法、ホルモン療法、放射線、化学療法、手術、遺伝子治療、免疫療法、又は癌を予防、治療、若しくは改善するための他の治療からなる群から選択される、請求項１４に記載の組成物。
【請求項１６】
前記化学療法が、抗血管新生剤、抗腫瘍剤、細胞毒性剤、及び細胞増殖の阻害剤からなる群から選択される、請求項１５に記載の組成物。
【請求項１７】
前記癌が難治性又は再発性のものである、請求項１〜１６のいずれか一項に記載の組成物。
【手続補正書】
【提出日】平成25年8月21日(2013.8.21)
【手続補正１】
【補正対象書類名】特許請求の範囲
【補正対象項目名】全文
【補正方法】変更
【補正の内容】
【特許請求の範囲】
【請求項１】
配列番号７３の残基９２〜１０４を含むヒトＥｒｂＢ３のエピトープに結合し、かつＥｒｂＢ３を発現する癌細胞の増殖を阻害することによって特徴付けられる、単離されたモノクローナル抗体またはその抗原結合部分であって、ただし該抗体は、（ｉ）配列番号１および２にそれぞれ示されるＶＨ配列およびＶＬ配列を含む抗体；または（ｉｉ）配列番号７、８および９にそれぞれ示されるＶＨＣＤＲ１、ＣＤＲ２およびＣＤＲ３の配列と、配列番号１０、１１および１２にそれぞれ示されるＶＬＣＤＲ１、ＣＤＲ２およびＣＤＲ３の配列とを含む抗体ではない、前記抗体またはその抗原結合部分。
【請求項２】
抗体が、（ｉ）配列番号３および４にそれぞれ示されるＶＨ配列およびＶＬ配列を含む抗体；（ｉｉ）配列番号１３、１４および１５にそれぞれ示されるＶＨＣＤＲ１、ＣＤＲ２およびＣＤＲ３の配列と、配列番号１６、１７および１８にそれぞれ示されるＶＬＣＤＲ１、ＣＤＲ２およびＣＤＲ３の配列とを含む抗体；（ｉｉｉ）配列番号３５および３６にそれぞれ示されるＶＨ配列およびＶＬ配列を含む抗体；（ｉｖ）配列番号３９、４０および４１にそれぞれ示されるＶＨＣＤＲ１、ＣＤＲ２およびＣＤＲ３の配列と、配列番号４２、４３および４４にそれぞれ示されるＶＬＣＤＲ１、ＣＤＲ２およびＣＤＲ３の配列とを含む抗体；（ｖ）配列番号３７および３８にそれぞれ示されるＶＨ配列およびＶＬ配列を含む抗体；または（ｖｉ）配列番号４５、４６および４７にそれぞれ示されるＶＨＣＤＲ１、ＣＤＲ２およびＣＤＲ３の配列と、配列番号４８、４９および５０にそれぞれ示されるＶＬＣＤＲ１、ＣＤＲ２およびＣＤＲ３の配列とを含む抗体ではない、請求項１に記載の単離されたモノクローナル抗体またはその抗原結合部分。
【請求項３】
前記エピトープが配列番号７３の残基１２９をさらに含む、請求項１または２に記載の単離されたモノクローナル抗体またはその抗原結合部分。
【請求項４】
前記癌細胞がＭＡＬＭＥ−３Ｍ細胞、ＡｄｒＲ細胞、またはＡＣＨＮ細胞であり、前記増殖が対照と比べると少なくとも１０％減少する、請求項１〜３のいずれか１項に記載の単離されたモノクローナル抗体またはその抗原結合部分。
【請求項５】
配列番号７３の残基９３（アスパラギン）、残基１０１（メチオニン）、残基１０２（ロイシン）および残基１０４（チロシン）から選択されるヒトＥｒｂＢ３のアミノ酸残基のいずれか１つがアラニンで置換されて単一アミノ酸置換を有する変異体ＥｒｂＢ３を作製する場合に、該変異体ＥｒｂＢ３に対する該抗体またはその抗原結合部分の結合が、配列番号７３のアミノ酸配列を含むヒトＥｒｂＢ３に対する前記抗体またはその抗原結合部分の結合と比較して、結合のＫＤ値で少なくとも１０倍変化するなど、実質的に減少する、請求項１〜４のいずれか１項に記載の単離されたモノクローナル抗体またはその抗原結合部分。
【請求項６】
重鎖ＣＤＲ１、ＣＤＲ２、およびＣＤＲ３の配列を含む重鎖可変領域と；
軽鎖ＣＤＲ１、ＣＤＲ２、およびＣＤＲ３の配列を含む軽鎖可変領域と
を含む、請求項１〜５のいずれか１項に記載の単離されたモノクローナル抗体またはその抗原結合部分であって、
（ａ）該重鎖ＣＤＲ１配列が配列番号６０もしくは７５を含み、
該重鎖ＣＤＲ２配列が配列番号６１を含み、
該重鎖ＣＤＲ３配列が配列番号６２を含み、
該軽鎖ＣＤＲ１配列が配列番号６６もしくは７７を含み、
該軽鎖ＣＤＲ２配列が配列番号６７を含み、
該軽鎖ＣＤＲ３配列が配列番号６８もしくは７９を含む、または
（ｂ）該重鎖ＣＤＲ１配列が配列番号６３もしくは７６を含み、
該重鎖ＣＤＲ２配列が配列番号６４を含み、
該重鎖ＣＤＲ３配列が配列番号６５を含み、
該軽鎖ＣＤＲ１配列が配列番号６９もしくは７８を含み、
該軽鎖ＣＤＲ２配列が配列番号７０を含み、
該軽鎖ＣＤＲ３配列が配列番号７１もしくは８０を含む、
前記抗体またはその抗原結合部分。
【請求項７】
（ａ）抗体が、ヒト抗体、ヒト化抗体、二重特異性抗体、もしくはキメラ抗体である；
（ｂ）抗原結合部分が、ヒト抗体、ヒト化抗体、もしくはキメラ抗体の一部である；
（ｃ）抗体もしくはその抗原結合部分が、Ｆａｂ、Ｆａｂ’２、ｓｃＦｖ、ＳＭＩＰ、もしくはドメイン抗体である；または
（ｄ）抗体が、ＩｇＧ１、ＩｇＧ２、ＩｇＧ３、ＩｇＧ４、ＩｇＭ、ＩｇＡ１、ＩｇＡ２、ＩｇＡｓｅｃ、ＩｇＤ、およびＩｇＥからなる群から選択されるアイソタイプである、
請求項１〜６のいずれか１項に記載の抗体またはその抗原結合部分。
【請求項８】
抗体が、ＫＲＡＳ変異またはＰＩ３Ｋ変異のいずれかまたは両方を含む腫瘍細胞の増殖を阻害することができる、請求項１〜７のいずれか１項に記載の抗体またはその抗原結合部分であって、任意で抗体がインビボでＫＲＡＳ変異体Ａ５４９細胞および／またはＰＩ３Ｋ変異体ＳＫＯＶ３細胞の増殖を阻害することができる、前記抗体またはその抗原結合部分。
【請求項９】
薬学的に許容される担体中に請求項１〜８のいずれか１項に記載の抗体またはその抗原結合部分を含む、組成物。
【請求項１０】
請求項１〜８のいずれか１項に記載の抗体またはその抗原結合部分を含む、被験体において癌を処置するための医薬組成物。
【請求項１１】
癌から得られる細胞試料が、ＫＲＡＳ変異またはＰＩ３Ｋ変異のいずれかまたは両方を含む、請求項１０に記載の組成物。
【請求項１２】
前記被験体がヒトであり、 
（ｉ）前記ＫＲＡＳ変異がヒトＫＲＡＳ遺伝子のコドン１２もしくはコドン１３の変異を含む；または
（ｉｉ）前記ＰＩ３Ｋ変異がヒトＰＩＫ３ＣＡ遺伝子のエキソン９もしくはエキソン２０の変異を含む、
請求項１１に記載の組成物。
【請求項１３】
請求項１〜８のいずれか１項に記載のモノクローナル抗体またはその抗原結合部分である第１の剤を含む、癌を処置するための医薬組成物であって、
該第１の剤以外の抗がん剤である第２の剤の治療有効量と組み合わせて使用される、前記組成物。
【請求項１４】
前記第２の剤が、
（ａ）抗体もしくはその抗原結合部分を含む；
（ｂ）タンパク質合成阻害剤、ソマトスタチン類似体、免疫治療剤、もしくは酵素阻害剤である；または
（ｃ）ＩＧＦ１Ｒを標的とする小分子、ＥＧＦＲを標的とする小分子、ＥｒｂＢ２を標的とする小分子、ｃＭＥＴを標的とする小分子、代謝拮抗薬、アルキル化剤、トポイソメラーゼ阻害剤、微小管標的剤、キナーゼ阻害剤、ホルモン療法、グルココルチコイド、アロマターゼ阻害薬、ｍＴＯＲ阻害剤、化学療法薬、プロテインキナーゼＢ阻害剤、ホスファチジルイノシトール３−キナーゼ阻害剤、サイクリン依存性キナーゼ阻害因子、もしくはＭＥＫ阻害剤である、
請求項１３に記載の組成物。
【請求項１５】
（ａ）前記第２の剤に含まれる抗体がパニツムマブ、トラスツズマブもしくはセツキシマブである；  
（ｂ）微小管標的剤がパクリタキセルである；  
（ｃ）アルキル化剤がシスプラチンである；または
（ｄ）ＥＧＦＲを標的とする小分子がエルロチニブもしくはラパチニブである、
請求項１４に記載の組成物。
【手続補正書】
【提出日】平成25年10月2日(2013.10.2)
【手続補正１】
【補正対象書類名】特許請求の範囲
【補正対象項目名】全文
【補正方法】変更
【補正の内容】
【特許請求の範囲】
【請求項１】
哺乳動物被検体の心不全又は高血圧性心筋症を処置するための医薬の調製のためのペプチドの使用であって、該ペプチドがＤ−Ａｒｇ−２’，６’−Ｄｍｔ−Ｌｙｓ−Ｐｈｅ−ＮＨ2である、使用。
【請求項２】
前記被検体が心不全に罹患している、請求項１記載の使用。
【請求項３】
前記心不全が、高血圧；虚血性心疾患；心臓毒性化合物への暴露；心筋炎；甲状腺疾患；ウイルス感染症；歯肉炎；薬物乱用；アルコール乱用；心膜炎；アテローム性動脈硬化症；血管疾患；肥大型心筋症；急性心筋梗塞；左室機能障害；冠動脈バイパス手術；飢餓；摂食障害；又は遺伝子異常によって生じる、請求項２記載の使用。
【請求項４】
前記被検体が高血圧性心筋症に罹患している、請求項１記載の使用。
【請求項５】
前記医薬が前記ペプチドを投与された被検体の心筋収縮機能及び心拍出量を増加させる、請求項１記載の使用。
【請求項６】
前記医薬が前記被検体の心筋収縮機能及び心拍出量を少なくとも１０％増加させる、請求項５記載の使用。
【請求項７】
前記被検体がヒトである、請求項１記載の方法。
【請求項８】
前記医薬が、経口投与、局所投与、全身投与、静脈内投与、皮下投与、腹腔内投与又は筋肉内投与されるために製剤化される、請求項１記載の使用。
【請求項９】
さらに、前記医薬が心血管作動薬を含む、請求項１記載の使用。
【請求項１０】
前記心血管作動薬が抗不整脈薬、血管拡張薬、抗狭心症薬、コルチコステロイド、心臓グリコシド、利尿薬、鎮静剤、アンジオテンシン変換酵素（ＡＣＥ）阻害薬、アンジオテンシンＩＩ拮抗薬、血栓溶解剤、カルシウムチャンネル遮断薬、トロンボキサン受容体拮抗剤、遊離基捕捉剤、抗血小板薬、β−アドレナリン受容体遮断薬、α−受容体遮断薬、交感神経抑制薬、ジギタリス製剤、変力物質、及び抗高脂血症薬からなる群から選択される、請求項９記載の使用。
【請求項１１】
心不全又は高血圧性心筋症に罹患している被検体の心筋収縮及び心拍出量を増加させるための医薬の調製のためのペプチドの使用であって、該ペプチドがＤ−Ａｒｇ−２’，６’−Ｄｍｔ−Ｌｙｓ−Ｐｈｅ−ＮＨ2である、使用。
【手続補正書】
【提出日】平成25年9月26日(2013.9.26)
【手続補正１】
【補正対象書類名】特許請求の範囲
【補正対象項目名】全文
【補正方法】変更
【補正の内容】
【特許請求の範囲】
【請求項１】
一般構造：
2013506647.tif 000001
のＯＬＥＤ化合物において、棒状核Ａは、縮合芳香族環構造を含んでおり、そして前記縮合芳香族環構造は、少なくとも１つのさらなるフルオレン環構造と縮合されたフルオレン環構造を含んでおり、前記縮合芳香族構造を構成するフルオレン環系は、９位で置換されており、前記フルオレンの９位は、酸化に対して感受性がないことを特徴とする化合物。
【請求項２】
請求項１に記載の化合物において、前記１つまたは複数のフルオレン環系のいずれも前記９位に対するα位に水素がないことを特徴とする化合物。
【請求項３】
請求項１または請求項２に記載の化合物において、前記さらなるフッ素（ｆｌｕｏｒｉｎｅ）環系は、ベンゼン、ナフタレン、インデン、および他のフルオレン環系のうちの少なくとも１つを含むことを特徴とする化合物。
【請求項４】
請求項１乃至３の何れか１項に記載の化合物において、Ｓは、単結合原子の鎖を含む柔軟なスペーサーを表すことを特徴とする化合物。
【請求項５】
請求項４に記載の化合物において、前記鎖は、アルキル鎖を含むことを特徴とする化合物。
【請求項６】
請求項５に記載の化合物において、前記アルキル鎖は、１個以上のヘテロ原子を含有することを特徴とする化合物。
【請求項７】
請求項１乃至６の何れか１項に記載の化合物において、Ｂは、架橋化学基を表すことを特徴とする化合物。
【請求項８】
請求項７に記載の化合物において、前記架橋化学基は、メタクリレート基を含むことを特徴とする化合物。
【請求項９】
請求項６に記載の化合物において、前記架橋化学基は、１，４−ペンタジエン−３−イル基を含むことを特徴とする化合物。
【請求項１０】
請求項１乃至９の何れか１項に記載の化合物において、Ａは、実質的に直線状の、共有結合鎖を表すことを特徴とする化合物。
【請求項１１】
請求項１０に記載の化合物において、前記鎖は、一般式：
2013506647.tif 000002
によって表わされる芳香族またはヘテロ芳香族ジラジカルの鎖を含むことを特徴とする化合物。
【請求項１２】
請求項１１に記載の化合物において、Ａｒは、芳香族またはヘテロ芳香族ジラジカルであることを特徴とする化合物。
【請求項１３】
請求項１１に記載の化合物において、Ａｒは、１，４−フェニレン、ビフェニル−４，４’−ジイル、テルフェン−４，４’’−ジイル、ナフタレン−１，４−ジイル、チオフェン−２，５−ジイル、ピリミジン−２，５−ジイル、ペリレン−３，１０−ジイル、ピレン−２，７−ジイル、２，２’−ジチオフェン−５，５’−ジイル、オキサゾール−２，５−ジイル、チエノ［３，２−ｂ］チオフェン−２，５−ジイル、ジチエノ［３，２−ｂ：２’，３’−ｄ］チオフェン−２，６−ジイル、もしくはイミダゾ［４，５−ｄ］イミダゾール−２，５−ジイルジラジカル、または単結合を含むことを特徴とする化合物。
【請求項１４】
請求項１１乃至１３の何れか１項に記載の化合物において、Ｆｌは、前記フルオレン環上の前記９位で脂環式環系によりスピロ置換されたフルオレン−２，７−ジイルジラジカルを含み、前記脂環式置換基は、前記フルオレン環系中の９位の炭素原子に直接隣接する２つの炭素原子上に置換水素を有さないことを特徴とする化合物。
【請求項１５】
請求項１１乃至１４の何れか１項に記載の化合物において、Ｆｌは：
2013506647.tif 000003
2013506647.tif 000004
2013506647.tif 000005
2013506647.tif 000006
2013506647.tif 000007
2013506647.tif 000008
2013506647.tif 000009
2013506647.tif 000010
から選択されるジラジカルを含み、ここで、Ｘは、ＣＨ、Ｎ、ＯＲ’またはＣＦ３から独立して選択され得、かつＲ’＝ＣｎＨ２ｎ＋１であり、ここでｎは、１乃至５から独立して選択される値を有し得；ＹおよびＺは、ＣＨ２、ＣＨＲ’’、ＣＲ’’２、ＮＨ、ＮＲ’’、Ｏ、Ｓ、Ｓ＝Ｏ、Ｏ＝Ｓ＝Ｏ、およびＣ＝Ｏから独立して選択され、かつＲ’’＝ＣｎＨ２ｎ＋１であり、ここでｎは、１乃至５から独立して選択される値を有し得；そしてＲは、ＨまたはＣｎＨ２ｎ＋１から独立して選択され、ここでｎは、１乃至５から独立して選択される値を有し得ることを特徴とする化合物。
【請求項１６】
請求項１５に記載の化合物において、Ｘ＝ＣＨであり、Ｙ＝Ｚ＝ＣＨ２であり、そしてＲは、メチル、エチルまたはプロピル基から独立して選択されることを特徴とする化合物。
【請求項１７】
請求項１５に記載の化合物において、Ｘ＝ＣＨであり、Ｙ＝ＣＨ２であり、Ｚ＝ＣＨＲ’’であり、Ｒ’’およびＲは、メチル、エチル、およびプロピル基から独立して選択されることを特徴とする化合物。
【請求項１８】
請求項１５に記載の化合物において、Ｘ＝ＣＨであり、Ｙ＝Ｚ＝ＣＨ２であり、そしてＲは水素であることを特徴とする化合物。
【請求項１９】
請求項１５に記載の化合物において、Ｒはアルキル基であり、かつ前記フルオレン核中の前記９位は、反応性化学種による侵食に対する立体シールドを有することを特徴とする化合物。
【請求項２０】
請求項１５に記載の化合物において、前記Ｒ基は全て同じであることを特徴とする化合物。
【請求項２１】
請求項１乃至２０の何れか１項に記載の化合物において、Ａについての前記式中の下付き文字ｎは、３乃至６であることを特徴とする化合物。
【請求項２２】
一般式
2013506647.tif 000011
を有する化合物において、式中、Ｒ’は同じでありかつエチルおよびプロピルの何れかであり、Ｒはメチルおよびエチルから独立して選択され、Ｘは光架橋基であり、そしてｎ＝１または２であることを特徴とする化合物。
【請求項２３】
一般式
2013506647.tif 000012
を有する化合物において、式中、Ｒ’は同じでありかつエチルおよびプロピルの何れかであり、Ｒはメチルおよびエチルから独立して選択され、Ｘは光架橋基であり、そしてｎ＝１または２であることを特徴とする化合物。
【請求項２４】
請求項１１に記載の化合物において、Ａｒは、多環式芳香族炭化水素を含むことを特徴とする化合物。
【請求項２５】
請求項１１に記載の化合物において、Ａｒは、多環式芳香族複素環を含むことを特徴とする化合物。
【請求項２６】
請求項１１に記載の化合物において、Ａｒは、３，４，５−トリアリール置換１，２，４−トリアゾールを含むことを特徴とする化合物。
【請求項２７】
請求項１に記載の化合物において、熱力学的に安定な、またはモノトロピックな、液晶相を有することを特徴とする化合物。
【請求項２８】
請求項１に記載の化合物において、熱力学的に安定な、またはモノトロピックな、ネマチック相を有することを特徴とする化合物。
【請求項２９】
請求項１に記載の化合物において、熱力学的に安定な、またはモノトロピックな、スメクチック相を有することを特徴とする化合物。
【手続補正書】
【提出日】平成25年9月26日(2013.9.26)
【手続補正１】
【補正対象書類名】特許請求の範囲
【補正対象項目名】全文
【補正方法】変更
【補正の内容】
【特許請求の範囲】
【請求項１】
一般構造：
2013506646.tif 000001
のＯＬＥＤ化合物において、
棒状分子核Ａは、構造：
2013506646.tif 000002
を含み、
ここで、Ｔは、ジラジカルを含む
ことを特徴とする化合物。
【請求項２】
請求項１に記載の化合物において、Ｔは、構造３乃至４５の何れか１つを含むことを特徴とする化合物。
【請求項３】
請求項１に記載の化合物において、Ｔは、構造５５を含むことを特徴とする化合物。
【請求項４】
請求項１に記載の化合物において、Ｔは、構造４６乃至５４の何れか１つを含み、ここで、置換基
2013506646.tif 000003
は、スピロまたは二環式スピロ基であることを特徴とする化合物。
【請求項５】
請求項４に記載の化合物において、前記スピロまたは二環式スピロ基は、構造５６乃至８２の何れか１つを含むことを特徴とする化合物。
【請求項６】
請求項５に記載の化合物において、前記スピロ置換基および二環式スピロ置換基中のＲは、アルキル基であることを特徴とする化合物。
【請求項７】
請求項６に記載の化合物において、前記アルキル基は、メチル、エチル、プロピル、ブチル、イソプロピル、ｓｅｃ−ブチル、イソブチル、ｔｅｒｔ−ブチル、２−アミル、３−アミル、２−メチル−２−ブチル、３−メチル−３−アミル、３−エチル−３−アミル、またはネオ−ペンチルから選択されることを特徴とする化合物。
【請求項８】
請求項６または請求項７に記載の化合物において、Ｒ１は、各出現で独立して、置換されていないか、またはＦ、Ｃｌ、Ｂｒ、ＩもしくはＣＮにより一置換もしくは多置換されている、３個乃至１２個の炭素原子を有する分岐、直鎖、もしくは環状のアルキル基を含むことを特徴とする化合物。
【請求項９】
請求項６または請求項７に記載の化合物において、１つ以上の隣接していないＣＨ２基が、Ｏ原子およびＳ原子が他のＯ原子またはＳ原子と直接結合されないように、−Ｏ−、−Ｓ−、−ＮＨ−、−ＮＲ−、−ＳｉＲＲ−、−ＣＯ−、−ＣＯＯ−、−ＯＣＯ−、−ＯＣＯ−Ｏ−、−Ｓ−ＣＯ−、−ＣＯ−Ｓ−、−ＣＨ＝ＣＨ−、−Ｃ≡Ｃ−で置き換えられていることを特徴とする化合物。
【請求項１０】
請求項４乃至９の何れか１項に記載の化合物において、前記スピロまたは二環式スピロ基中の少なくとも１つの水素原子は、フッ素原子で置換されていることを特徴とする化合物。
【請求項１１】
請求項１乃至１０の何れか１項に記載の化合物において、構造２中のＡｒは、各出現で、芳香族ジラジカル、ヘテロ芳香族ジラジカル、単結合、または上記のうちの２つ以上が一緒に連結されて実質的に直鎖をなしているものを含むことを特徴とする化合物。
【請求項１２】
請求項１乃至１１の何れか１項に記載の化合物において、少なくとも１つのＡｒは、構造８３乃至９３から選択されることを特徴とする化合物。
【請求項１３】
請求項１２に記載の化合物において、Ｘは、各出現で、−ＣＨ−または−Ｎ−から選択されることを特徴とする化合物。
【請求項１４】
請求項１２または請求項１３に記載の化合物において、置換基
2013506646.tif 000004
は、この構造の出現ごとに、構造５６乃至８２のうちの１つから独立して選択されることを特徴とする化合物。
【請求項１５】
請求項１４に記載の化合物において、
2013506646.tif 000005
は、構造５６乃至７８から選択されることを特徴とする化合物。
【請求項１６】
請求項１４または請求項１５に記載の化合物において、Ａｒは、１，４−フェニレン、ビフェニル−４，４’−ジイル、テルフェン−４，４’’−ジイル、ナフタレン−１，４−ジイル、チオフェン−２，５−ジイル、ピリミジン−２，５−ジイル、ペリレン−３，１０−ジイル、ピレン−２，７−ジイル、２，２’−ジチオフェン−５，５’−ジイル、オキサゾール−２，５−ジイル、チエノ［３，２−ｂ］チオフェン−２，５−ジイル、ジチエノ［３，２−ｂ：２’，３’−ｄ］チオフェン−２，６−ジイル、チアゾロ［５，４−ｄ］チアゾール−２，５−ジイル、オキサゾロ［５，４−ｄ］オキサゾール−２，５−ジイル、チアゾロ［５，４−ｄ］オキサゾール−２，５−ジイル、チアゾロ［４，５−ｄ］チアゾール−２，５−ジイル、オキサゾロ［４，５−ｄ］オキサゾール−２，５−ジイル、チアゾロ［４，５−ｄ］オキサゾール−２，５−ジイル、２，１，３−ベンゾチアジアゾール−４，７−ジイル、もしくはイミダゾ［４，５−ｄ］イミダゾール−２，５−ジイルジラジカル、または単結合のうちの１つを含むことを特徴とする化合物。
【請求項１７】
請求項１乃至１６の何れか１項に記載の化合物において、前記分子核ＡのＡｒ単位およびＴ単位は、実質的に直線状に一緒に連結されていることを特徴とする化合物。
【請求項１８】
請求項１乃至１７の何れか１項に記載の化合物において、構造１中のＳは、単結合原子の鎖を含む柔軟なスペーサーを表すことを特徴とする化合物。
【請求項１９】
請求項１８に記載の化合物において、前記鎖は、アルキル鎖を含むことを特徴とする化合物。
【請求項２０】
請求項１９に記載の化合物において、前記アルキル鎖は、１個以上のヘテロ原子を含有することを特徴とする化合物。
【請求項２１】
請求項１乃至２０の何れか１項に記載の化合物において、Ｂは、架橋化学基を表すことを特徴とする化合物。
【請求項２２】
請求項２１に記載の化合物において、前記架橋化学基は、メタクリレート基、１，４−ペンタジエン−３−イル基、エタクリレート基、ビニルオキシ基、アルキルビニルオキシ基、エチルマレアト（ｅｔｈｙｌｍａｌｅａｔｏ）基、エチルフマラト（ｅｔｈｙｌｆｕｍａｒａｔｏ）基、Ｎ−マレイミド（ｍａｌｅｉｍｉｄｏ）基、ビニルマレアト基、ビニルフマラト基、またはＮ−（２−ビニルオキシマレイミド）基を含むことを特徴とする化合物。
【請求項２３】
請求項１乃至２２の何れか１項に記載の化合物において、構造２中のｐの値は、１乃至５であることを特徴とする化合物。
【請求項２４】
請求項１乃至２３の何れか１項に記載の化合物において、構造１中のｎおよびｍの値は１乃至３から独立して選択され、かつ前記分子の実質的に直線状の性質は維持されることを特徴とする化合物。
【手続補正書】
【提出日】平成25年9月30日(2013.9.30)
【手続補正１】
【補正対象書類名】特許請求の範囲
【補正対象項目名】全文
【補正方法】変更
【補正の内容】
【特許請求の範囲】
【請求項１】
ＳＭＹＤ３遺伝子の産物の活性を阻害する物質の、細胞におけるオートファジーを阻害するための薬剤の製造における使用。
【請求項２】
前記物質が、ｓｉＲＮＡ、ｓｈＲＮＡまたはアンチセンスＲＮＡ分子であることを特徴とする請求項１記載の使用。
【請求項３】
ＳＭＹＤ３遺伝子の産物の活性を高める物質の、細胞におけるオートファジーを誘発するための薬剤の製造における使用。
【請求項４】
前記物質が抗体であることを特徴とする請求項１記載の使用。
【請求項５】
前記物質が小分子であることを特徴とする請求項１記載の使用。
【請求項６】
前記細胞が癌細胞であることを特徴とする請求項１、２、４または５記載の使用。
【請求項７】
前記薬剤が化学療法薬と組み合わせて使用される請求項６記載の使用。
【請求項８】
前記化学療法薬が、アルトレタミン、アスパラギナーゼ、ＢＣＧ、硫酸ブレオマイシン、ブスルファン、カンプトテシン、カルボプラチン、カルムスチン、クロラムブシル、シスプラチン、クラドリビン、２−クロロデオキシアデノシン、シクロホスファミド、シタラビン、ダカルバジン、イミダゾールカルボキサミド、ダクチノマイシン、ダウノルビシン−ダウノマイシン、デキサメタゾン、ドキソルビシン、エトポシド、フロクスウリジン、フルオロウラシル、フルオキシメステロン、フルタミド、フルダラビン、ゴセレリン、ヒドロキシウレア、イダルビシン塩酸塩、イホスファミド、インターフェロンα、インターフェロンα２ａ、インターフェロンα２ｂ、インターフェロンαｎ３、イリノテカン、ロイコボリンカルシウム、ロイプロリド、レバミゾール、ロムスチン、メゲストロール、メルファラン、Ｌ−サルコシリン、メルファラン塩酸塩、ＭＥＳＮＡ、メクロレタミン、メトトレキセート、マイトマイシン、ミトキサントロン、メルカプトプリン、パクリタキセル、プリカマイシン、プレドニゾン、プロカルバジン、ストレプトゾシン、タモキシフェン、６−チオグアニン、チオテパ、トポテカン、ビンブラスチン、ビンクリスチン、および酒石酸ビレノルビンからなる群より選択されることを特徴とする請求項７記載の使用。
【請求項９】
前記細胞が膵細胞であることを特徴とする請求項１、２、４または５記載の使用。
【請求項１０】
前記細胞がニューロンであることを特徴とする請求項３記載の使用。
【手続補正２】
【補正対象書類名】明細書
【補正対象項目名】００７７
【補正方法】変更
【補正の内容】
【００７７】
本発明の方法に使用するためのリポソームは、リポソームを癌細胞、膵細胞またはニューロンに向けるリガンド分子を含み得る。細胞タイプに特異的な抗原に結合するモノクローナル抗体などの、癌細胞、膵細胞またはニューロン中に蔓延した受容体に結合するリガンドが好ましい。
【手続補正書】
【提出日】平成25年9月30日(2013.9.30)
【手続補正１】
【補正対象書類名】特許請求の範囲
【補正対象項目名】全文
【補正方法】変更
【補正の内容】
【特許請求の範囲】
【請求項１】
ＧＨＳＲ遺伝子の産物の活性を阻害する物質の、神経変性疾患の治療に使用するための薬剤の製造における使用。
【請求項２】
前記物質が、ｓｉＲＮＡ、ｓｈＲＮＡまたはアンチセンスＲＮＡ分子であることを特徴とする請求項１記載の使用。
【請求項３】
前記物質が、ＧＨＳＲ遺伝子の産物に特異的な抗体であることを特徴とする請求項１記載の使用。
【請求項４】
ＧＨＳＲ遺伝子の産物の活性を高める物質の、癌の治療に使用するための薬剤の製造における使用。
【請求項５】
前記物質が、メシル酸イブタモレン、KP-102LNまたはEP1572であることを特徴とする請求項４記載の使用。
【請求項６】
前記物質が小分子であることを特徴とする請求項１記載の使用。
【請求項７】
前記神経変性疾患がアルツハイマー病であることを特徴とする請求項１、２、３または６記載の使用。
【請求項８】
前記物質が抗体であることを特徴とする請求項４記載の使用。
【請求項９】
前記物質が小分子であることを特徴とする請求項４記載の使用。
【請求項１０】
前記薬剤が化学療法薬と組み合わせて用いられる請求項４、５、８または９記載の使用。
【請求項１１】
前記化学療法薬が、アルトレタミン、アスパラギナーゼ、ＢＣＧ、硫酸ブレオマイシン、ブスルファン、カンプトテシン、カルボプラチン、カルムスチン、クロラムブシル、シスプラチン、クラドリビン、２−クロロデオキシアデノシン、シクロホスファミド、シタラビン、ダカルバジン、イミダゾールカルボキサミド、ダクチノマイシン、ダウノルビシン−ダウノマイシン、デキサメタゾン、ドキソルビシン、エトポシド、フロクスウリジン、フルオロウラシル、フルオキシメステロン、フルタミド、フルダラビン、ゴセレリン、ヒドロキシウレア、イダルビシン塩酸塩、イホスファミド、インターフェロンα、インターフェロンα２ａ、インターフェロンα２ｂ、インターフェロンαｎ３、イリノテカン、ロイコボリンカルシウム、ロイプロリド、レバミゾール、ロムスチン、メゲストロール、メルファラン、Ｌ−サルコシリン、メルファラン塩酸塩、ＭＥＳＮＡ、メクロレタミン、メトトレキセート、マイトマイシン、ミトキサントロン、メルカプトプリン、パクリタキセル、プリカマイシン、プレドニゾン、プロカルバジン、ストレプトゾシン、タモキシフェン、６−チオグアニン、チオテパ、トポテカン、ビンブラスチン、ビンクリスチン、および酒石酸ビレノルビンからなる群より選択されることを特徴とする請求項１０記載の使用。
【手続補正２】
【補正対象書類名】明細書
【補正対象項目名】００７８
【補正方法】変更
【補正の内容】
【００７８】
本発明の方法に使用するためのリポソームは、リポソームを癌細胞、膵細胞またはニューロンに向けるリガンド分子を含み得る。細胞タイプに特異的な抗原に結合するモノクローナル抗体などの、癌細胞、膵細胞またはニューロン中に蔓延した受容体に結合するリガンドが好ましい。
【手続補正書】
【提出日】平成25年9月11日(2013.9.11)
【手続補正１】
【補正対象書類名】特許請求の範囲
【補正対象項目名】全文
【補正方法】変更
【補正の内容】
【特許請求の範囲】
【請求項１】
動脈瘤性拡張または血管壁脆弱性を治療するための組成物であって、構造：
【化２０】
2013506684.tif 000001
を有する化合物またはその薬学的に許容可能な塩を含む、組成物。
【請求項２】
動脈瘤性拡張または血管壁脆弱性を治療するための医薬組成物であって、構造：
【化２１】
2013506684.tif 000002
を有する化合物またはその薬学的に許容可能な塩と薬学的に許容可能な担体とを含む、医薬組成物。
【請求項３】
ＭＭＰの活性を調節するための医薬組成物であって、構造：
【化２２】
2013506684.tif 000003
を有する化合物またはその薬学的に許容可能な塩と薬学的に許容可能な担体とを含む、医薬組成物。
【請求項４】
動脈瘤性拡張または血管壁脆弱性を治療するための組成物であって、該組成物はＭＭＰ阻害剤を含み、そして該組成物はアンギオテンシン変換酵素阻害剤と併用して投与されることを特徴とする、組成物。
【請求項５】
前記アンギオテンシン変換酵素阻害剤が、カプトプリル、ゾフェノプリル、エナラプリル、ラミプリル、キナプリル、ペリンドプリル、リシノプリル、ベナゼプリル、およびフォシノプリルのうちの一つより選択される、請求項４に記載の組成物。
【請求項６】
動脈瘤性拡張または血管壁脆弱性を治療するための組成物であって、該組成物はＭＭＰ阻害剤を含み、そして該組成物はアンギオテンシンＩＩ受容体遮断薬と併用して投与されることを特徴とする、組成物。
【請求項７】
前記アンギオテンシンＩＩ受容体遮断薬が、カンデサルタン、アプロサルタン（ａｐｒｏｓａｒｔａｎ）、イルベサルタン、バルサルタン、およびロサルタンのうちの一つより選択される、請求項６に記載の組成物。
【請求項８】
動脈瘤性拡張または血管壁脆弱性を治療するための組成物であって、、該組成物はＭＭＰ阻害剤を含み、そして該組成物はサイクロフィリンＡの阻害剤と併用して投与されることを特徴とする、組成物。
【請求項９】
前記ＭＭＰ阻害剤が、構造：
【化２３】
2013506684.tif 000004
の化合物またはその薬学的に許容可能な塩である、請求項４に記載の組成物。
【請求項１０】
前記ＭＭＰ阻害剤が、構造：
【化２４】
2013506684.tif 000005
の化合物またはその薬学的に許容可能な塩である、請求項６に記載の組成物。
【請求項１１】
動脈瘤性拡張または血管壁脆弱性を治療するための組成物であって、該組成物は、構造：
【化２５】
2013506684.tif 000006
の化合物またはその薬学的に許容可能な塩を含み、そして該組成物は、アンギオテンシンＩＩ受容体遮断薬およびアンジオテンシン変換酵素阻害剤と併用して投与されることを特徴とする、組成物。
【請求項１２】
前記ＭＭＰ阻害剤が、構造：
【化２６】
2013506684.tif 000007
の化合物またはその薬学的に許容可能な塩である、請求項８に記載の組成物。
【請求項１３】
前記動脈瘤性拡張または前記血管壁脆弱性が、腹部大動脈瘤である、請求項１〜１２のいずれかに記載の組成物または医薬組成物。
【請求項１４】
前記動脈瘤性拡張または前記血管壁脆弱性が、胸部動脈瘤である、請求項１〜１２のいずれかに記載の組成物または医薬組成物。
【手続補正２】
【補正対象書類名】明細書
【補正対象項目名】００１５
【補正方法】変更
【補正の内容】
【００１５】
（発明の要旨）
本発明は、ＭＭＰの阻害による疾患の治療方法を含む。このような疾患には、これらの阻害化合物を単独でもしくはＡＣＥ阻害剤（アンギオテンシン変換酵素阻害剤）、ＡＲＢ（アンギオテンシンＩＩ受容体遮断薬）、および／またはサイクロフィリン阻害剤（例えばサイクロスポリンＡ）と併用して（同時にまたは順次に）投与することにより、腹部大動脈瘤および胸部動脈瘤を含む動脈瘤性拡張または血管壁脆弱性が含まれる。
本発明は、例えば以下の項目を提供する。
（項目１）
動脈瘤性拡張または血管壁脆弱性を治療する方法であって、治療有効量の構造：
【化２０】
2013506684.tif 000008
を有する化合物を、そのような治療を必要とする哺乳類に投与するステップを含む、方法。
（項目２）
動脈瘤性拡張または血管壁脆弱性を治療する方法であって、治療有効量の構造：
【化２１】
2013506684.tif 000009
を有する化合物と薬学的に許容可能な担体とを含む医薬組成物を、そのような治療を必要とする哺乳類に投与するステップを含む、方法。
（項目３）
ＭＭＰの活性を調節する方法であって、治療有効量の構造：
【化２２】
2013506684.tif 000010
を有する化合物と薬学的に許容可能な担体とを含む医薬組成物を、そのような治療を必要とする哺乳類に投与するステップを含む、方法。
（項目４）
動脈瘤性拡張または血管壁脆弱を治療する方法であって、アンギオテンシン変換酵素阻害剤と併用して、治療有効量のＭＭＰ阻害剤を、そのような治療を必要とする哺乳類を投与するステップを含む、方法。
（項目５）
前記アンギオテンシン変換酵素阻害剤が、カプトプリル、ゾフェノプリル、エナラプリル、ラミプリル、キナプリル、ペリンドプリル、リシノプリル、ベナゼプリル、およびフォシノプリルのうちの一つより選択される、項目４に記載の方法。
（項目６）
動脈瘤性拡張または血管壁脆弱性を治療する方法であって、アンギオテンシンＩＩ受容体遮断薬と併用して、治療有効量のＭＭＰ阻害剤を、そのような治療を必要とする哺乳類に投与するステップを含む、方法。
（項目７）
前記アンギオテンシンＩＩ受容体遮断薬が、カンデサルタン、アプロサルタン（ａｐｒｏｓａｒｔａｎ）、イルベサルタン、バルサルタン、およびロサルタンのうちの一つより選択される、項目６に記載の方法。
（項目８）
動脈瘤性拡張または血管壁脆弱性を治療する方法であって、サイクロフィリンＡの阻害剤と併用して、治療有効量のＭＭＰ阻害剤を、そのような治療を必要とする哺乳類に投与するステップを含む、方法。
（項目９）
前記ＭＭＰ阻害剤が、構造：
【化２３】
2013506684.tif 000011
の化合物である、項目４に記載の方法。
（項目１０）
前記ＭＭＰ阻害剤が、構造：
【化２４】
2013506684.tif 000012
の化合物である、項目６に記載の方法。
（項目１１）
動脈瘤性拡張または血管壁脆弱性を治療する方法であって、アンギオテンシンＩＩ受容体遮断薬およびアンジオテンシン変換酵素阻害剤と併用して、治療有効量の構造：
【化２５】
2013506684.tif 000013
の前記化合物を、そのような治療を必要とする哺乳類に投与するステップを含む、方法。
（項目１２）
前記ＭＭＰ阻害剤が、構造：
【化２６】
2013506684.tif 000014
の化合物である、項目８に記載の方法。
（項目１３）
前記動脈瘤性拡張または前記血管壁脆弱性が、腹部大動脈瘤または胸部動脈瘤である、項目１〜１２のいずれかに記載の方法。
【手続補正書】
【提出日】平成25年8月29日(2013.8.29)
【手続補正１】
【補正対象書類名】特許請求の範囲
【補正対象項目名】全文
【補正方法】変更
【補正の内容】
【特許請求の範囲】
【請求項１】
スプレーノズルに接続される加圧キャニスタと、前記キャニスタ内に含まれる噴霧可能な接着剤組成物と、を含む内蔵型の噴霧可能な接着剤システムであって、シリル末端エラストマー系接着剤と、噴射剤と、を含む、内蔵型の噴霧可能な接着剤システム。
【請求項２】
シリル末端エラストマー系接着剤と、液化石油ガス及びジアルキルエーテルのブレンドを含む噴射剤と、を含む、噴霧可能な接着剤組成物。
【手続補正書】
【提出日】平成25年9月20日(2013.9.20)
【手続補正１】
【補正対象書類名】特許請求の範囲
【補正対象項目名】全文
【補正方法】変更
【補正の内容】
【特許請求の範囲】
【請求項１】
処理された水道水で少なくとも１本のボトルを充填するための水処理装置であって、前記装置は、
（ａ）リザーバを有するハウジングユニットと、
（ｂ）前記リザーバと流体連通するよう配置された少なくとも１つのバルブであって、前記バルブは、前記ハウジングユニットに隣接して配置された水入口／空気出口ポートと、前記水入口／空気出口ポートの反対側に配置された水出口／空気入口ポートと、を有し、前記バルブがその開状態に作動されると、水は前記バルブを通って前記ボトルへと流れることが可能となり、前記ボトル内に閉じ込められた空気は、前記バルブを通って周辺環境へ流れることが可能となり、前記バルブがその閉状態にあるときは、空気及び水は前記バルブを通って流れることができないバルブと、
を含む、装置。
【請求項２】
前記リザーバ内に取り外し可能に配置された交換式処理カートリッジを更に含む、請求項１に記載の装置。
【請求項３】
少なくとも１本のボトルを処理された水道水で充填するための水処理装置であって、前記装置が、
（ａ）ハウジングユニットと、
（ｂ）前記ハウジングユニット内に配置された水処理物質と、
（ｃ）前記ハウジングユニットから少なくとも１本のボトル内へと前記水の流れを制御するよう配置された少なくとも１つのバルブと、
（ｄ）前記ハウジングユニットと取り外し可能に接続された少なくとも１本のボトルと、
を含む、装置。
【手続補正書】
【提出日】平成25年3月11日(2013.3.11)
【手続補正１】
【補正対象書類名】明細書
【補正対象項目名】発明の名称
【補正方法】変更
【補正の内容】
【発明の名称】医薬組成物
【手続補正２】
【補正対象書類名】明細書
【補正対象項目名】００７３
【補正方法】変更
【補正の内容】
【００７３】
本発明の実装においては多数の修正および変更が当業者には、本明細書に記載の好ましい実施形態を考慮した上で発想されることを期待する。したがって、本発明の範囲に対する制限は添付された請求項に記載されたもののみとする。
［項目１］
禁断症状を緩和することに有効な投与量で神経成長因子を、それを必要とする対象に投与することを含む禁断症状を緩和する方法。
［項目２］
前記禁断症状は糖類、炭水化物、アルコール、ニコチン、コカイン、アンフェタミン、アヘン剤および非アヘン鎮痛剤の禁断症状からなる群から選択される項目１に記載の方法。
［項目３］
前記神経成長因子は舌下、頬側、経口飲薬、皮下、皮内、または静脈注射からなる群から選択される様式によって投与される項目１に記載の方法。
［項目４］
前記神経成長因子は舌下で投与される項目３に記載の方法。
［項目５］
前記神経成長因子は一日に０．００１〜１マイクログラムの毎日投与量で投与される項目１に記載の方法。
［項目６］
前記神経成長因子は一日に０．０１〜０．１マイクログラムの毎日投与量で投与される項目１に記載の方法。
［項目７］
前記神経成長因子は神経成長因子のβサブユニットである項目１に記載の方法。
【手続補正３】
【補正対象書類名】特許請求の範囲
【補正対象項目名】全文
【補正方法】変更
【補正の内容】
【特許請求の範囲】
【請求項１】
前記禁断症状を治療することに有効な投与量の神経成長因子を含む禁断症状を緩和する医薬組成物。
【請求項２】
前記禁断症状は糖類、炭水化物、アルコール、ニコチン、コカイン、アンフェタミン、アヘン剤および非アヘン鎮痛剤の禁断症状からなる群から選択される請求項１に記載の医薬組成物。
【請求項３】
前記組成物は薬学的に許容可能な担体、賦形剤または希釈剤を更に含む請求項１または２に記載の医薬組成物。
【請求項４】
各投与単位に０．００１〜１０マイクログラムを含む請求項１から３の何れか１項に記載の医薬組成物。
【請求項５】
各投与単位に０．０５〜１マイクログラムを含む請求項１から４の何れか１項に記載の医薬組成物。
【請求項６】
各投与単位に０．０１〜０．１マイクログラムを含む請求項１から５の何れか１項に記載の医薬組成物。
【請求項７】
前記神経成長因子はＮＧＦのβサブユニットである請求項１から６の何れか１項に記載の医薬組成物。